(57)【要約】【課題】壁パネルを構成する板材に安価な二等材を使用して、コストの低減を図っても、水の浸入防止をはかることができるようにする。【解決手段】板材１２の実部１３と溝部１４を嵌め合わせて一方向に接続して形成される壁パネル１１において、板材１２の厚み方向の内部に合板１８からなる合板層１２ａを備え、板材１２における板材１２の接続方向と平行な両側部に、厚み方向の中間部分に中間耳部１５を残して厚み方向の両側を切り欠く切欠き部１６を形成する。切欠き部１６には、実部１３と溝部１４の嵌め合わせで接続される複数の板材１２の全体に延びる長さの線材１７を固定する。この壁パネル１１を、垂直材Ｘに形成された落とし込み溝Ｘａに落とし込んだのち、壁パネル１１を壁外面側に押しつけて固定する。【選択図】図１
2018071299.tif 000002
【特許請求の範囲】
【請求項１】
板材の実部と溝部を嵌め合わせて一方向に接続して形成される壁パネルであって、
前記板材が、厚み方向の内部に合板からなる合板層を有し、
前記板材における前記板材の接続方向と平行な両側部に、厚み方向の中間部分に中間耳部を残して厚み方向の両側を切り欠く切欠き部が形成され、
前記切欠き部に、前記実部と前記溝部の嵌め合わせで接続される複数の前記板材の全体に延びる長さの線材が固定された
壁パネル。
【請求項２】
前記板材が、２枚の板状製材の間に接着剤層を介して合板を挟んで一体化されている
請求項１に記載の壁パネル。
【請求項３】
前記中間耳部の厚さが前記実部の厚さと異なる
請求項１または請求項２に記載の壁パネル。
【請求項４】
前記中間耳部の厚さが前記実部の厚さよりも薄い
請求項１または請求項２に記載の壁パネル。
【請求項５】
前記線材が角材であり、前記線材の隣り合う二面が板材に密に接する
請求項１から請求項４のうちいずれか一項に記載の壁パネル。
【請求項６】
前記板部と前記線材の間に接着剤層を有する
請求項１から請求項５のうちいずれか一項に記載の壁パネル。
【請求項７】
前記線材の太さが、当該壁パネルを落とし込む垂直材の落とし込み溝に収まる大きさである
請求項１から請求項６のうちいずれか一項に記載の壁パネル。
【請求項８】
壁パネルの両側部を垂直材に形成された落とし込み溝に落とし込んで固定する壁パネルの固定構造であって、
前記壁パネルに請求項１から請求項６のうちいずれか一項に記載の壁パネルが用いられ、
前記落とし込み溝の幅が前記壁パネルの厚さよりも大きく形成され、
前記落とし込み溝の幅方向における壁内面側に、両側部が前記落とし込み溝に落とし込まれた前記壁パネルを壁外面側に押しつける押しつけ手段が備えられた
壁パネルの固定構造。
【請求項９】
前記押しつけ手段が、断面楔形の線状材である
請求項８に記載の壁パネルの固定構造。
【請求項１０】
前記落とし込み溝の幅方向における壁内面側の奥に、弾力性を有するバックアップ材を備える
請求項８または請求項９に記載の壁パネルの固定構造。
【請求項１１】
請求項１から請求項７のうちいずれか一項に記載の壁パネルを用いた
木造建築物。
【発明の詳細な説明】
【技術分野】
【０００１】
この発明は、木造建築に用いられる壁パネルとその固定構造に関し、より詳しくは、落とし込み板を利用した板倉構法に関する。
【背景技術】
【０００２】
落とし込み板である壁パネルは、垂直材である柱材の側面に形成された落とし込み溝に両側部を落とし込んで固定される。つまり、軸組の架構のなかにせん断力に抵抗する面材、すなわち落とし込みパネルを入れるので、剛性が高い。
【０００３】
しかし板倉構法は木造の在来工法に比べて多くの木材を使用するので、等級の低い２等材を用いてコストを抑えることが考えられた。
【０００４】
ところが、二等材には多くの節がある。その半数は死節（しにぶし）であるため、その死節を通して、また死節ではなく生節（いきぶし）であっても乾燥による割れがある場合にはその割れを通して、壁外面側から壁内面側へ雨水等の浸入が発生することがある。安価な木材は反りや曲り、割れも起こりやすいので、節のほか、落とし込み板を構成する板材同士の間や、落とし込み板と落とし込み溝との間からも水の浸入が起こることもあった。このように、安価な木材は板倉構法に適していなかったといえる。
【０００５】
落とし込み板を構成する複数の板材を、一枚の製材で構成せずに、層構造とするものは、下記特許文献１、２などに開示されているが、いずれも防火を目的とするもので、前述のように雨水等の浸入を防止するものではなかった。
【先行技術文献】
【特許文献】
【０００６】
【特許文献１】登録実用新案第３１６７１５７号公報
【特許文献２】特開２０００−２９７４７４号公報
【発明の概要】
【発明が解決しようとする課題】
【０００７】
この発明は、落とし込み板である壁パネルに、例えば等級が低い安価な二等材を使用しても水の浸入防止を図れるようにすることを主な目的とする。
【課題を解決するための手段】
【０００８】
そのための手段は、板材の実部と溝部を嵌め合わせて一方向に接続して形成される壁パネルであって、前記板材が、厚み方向の内部に合板からなる合板層を有し、前記板材における前記板材の接続方向と平行な両側部に、厚み方向の中間部分に中間耳部を残して厚み方向の両側を切り欠く切欠き部が形成され、前記切欠き部に、前記実部と前記溝部の嵌め合わせで接続される複数の前記板材の全体に延びる長さの線材が固定された壁パネルである。
【０００９】
この構成では、板材に節があって、板材における壁外面側から水が浸入したとしても、内部の合板層が更なる水の浸入を遮断する。また板材間に水が伝って左右両側部に達しても、切欠き部と線材との間や板材同士の間の入り組んだ接触面や繊維方向の相違によって、水の流れが断たれる。
【発明の効果】
【００１０】
この発明によれば、落とし込み板である壁パネルに二等材を使用しても水の浸入防止を図ることができる。
【図面の簡単な説明】
【００１１】
【図１】壁パネルと固定構造の要部を示す一部断面斜視図。
【図２】壁パネルの全体を示す斜視図。
【図３】壁パネルを構成する板材の斜視図。
【図４】壁パネルを構成する板材の構成を示す説明図。
【図５】壁パネルの両側部分の断面図。
【図６】壁パネルを構成する板材と線材の分離状態の斜視図。
【図７】壁パネルの上端部の角を示す斜視図。
【図８】壁パネルの下端部の角を示す斜視図。
【図９】壁パネルを用いた木造建築物の斜視図。
【図１０】木造建築物の要部の分解斜視図。
【図１１】垂直材と水平材の接合構造を示す斜視図。
【図１２】垂直材と水平材の接合構造を示す斜視図。
【図１３】垂直材と水平材の接合構造を示す斜視図。
【図１４】垂直材と水平材の接合構造を示す斜視図。
【図１５】壁パネルを固定する一工程を示す斜視図。
【図１６】壁パネルを固定する一工程を示す斜視図。
【図１７】壁パネルを固定する一工程を示す断面図。
【図１８】壁パネルの固定状態を示す断面図。
【図１９】壁パネルの土台に対する固定状態を示す断面図。
【図２０】壁パネルの桁に対する固定状態を示す断面図。
【図２１】壁パネルの土台に対する固定状態を示す断面図。
【図２２】楔部材の固定状態を示す斜視図。
【発明を実施するための形態】
【００１２】
この発明を実施するための一形態を、以下図面を用いて説明する。
【００１３】
はじめに、壁パネル１１の説明を行う。壁パネル１１は図１に示したように、落とし込み板として使用されるものであり、複数の板材１２を一方向に接続して形成されている。壁パネル１１の斜視図である図２に示したように、板材１２は、横長の長方形板状に形成されている。板材１２の接続は、板材１２の２つの長辺のうちの一方の長辺の端面に形成された実（さね）部１３と、他方の長辺の端面に形成された溝部１４を、異なる板材１２同士のあいだにおいて嵌め合わせて行われる（図１参照）。
【００１４】
具体的には板材１２は、図３に示したように、一方の長辺を構成する端面に、板材１２の厚みの中間部分に位置して板材１２の厚みよりも薄い実部１３を長手方向の略全体にわたって有している。板材１２における他方の長辺を構成する端面には、板材１２の厚みの中間部分に位置して実部１３が嵌る厚みの溝部１４が長手方向の略全体にわたって形成されている。板材１２のうち、壁パネル１１を形成したときに一番下に位置する板材１２には実部１３のみが、一番上に位置する板材１２には溝部１４のみが形成されている。
【００１５】
一方、板材１２の長辺と直交する短辺部分、すなわち板材１２の接続方向平行である長手方向の両側部には、厚み方向の中間部分に中間耳部１５を残して厚み方向の両側を切り欠く切欠き部１６が形成されている。中間耳部１５は、実部１３と同様の形状である。中間耳部１５の厚みは適宜設定されるが、実部１３の厚さと異なる厚さであるのが望ましい。好ましくは、中間耳部１５の厚さは実部１３の厚さよりも薄く形成する。切欠き部１６は、接続する板材１２同士を一体化する線材１７を固定する部分であり、直角をなす２面を有する段差状に形成されている。中間耳部１５の長さは、図１に仮想線で示したように、壁パネル１１を固定する垂直材Ｘの落とし込み溝Ｘａに収まる大きさである。つまり、中間耳部１５の長さは落とし込み溝Ｘａの深さと同一か、それよりも若干短く形成されている。
【００１６】
このように実部１３と溝部１４と中間耳部１５を有する板材１２は、図１、図３に示したように、厚み方向の内部に合板１８からなる合板層１２ａを有している。図示例の板材１２は、図４に示したように、２枚の板状製材１９の間に合板１８を挟んで一体化されている。板状製材１９は、実部１３や溝部１４、中間耳部１５となる部分を有しており、節の種類、節の有無、節の多少にかかわらず、適宜の木材が使用される。等級の低い二等材を使用してもよい。間伐材を利用して板状製材１９を得ることも可能である。合板層１２ａを構成する合板１８は、繊維方向をたてよこに交差させた公知の構造であり、板状製材１９における接合面１９ａと同一形状に形成されている。
【００１７】
板状製材１９と合板１８は、耐水性の接着剤で貼り合せられる。このため板状製材１９と合板層１２ａとの間には、図５に示したように接着剤層２１が介在することになる。
【００１８】
板材１２の切欠き部１６に固定される線材１７の長さは、実部１３と溝部１４の嵌め合わせで接続される複数の板材１２の全体に延びる長さである。つまり線材１７の長さは、壁パネル１１における板材１２の接続方向の長さに等しい。
【００１９】
線材１７は、図６に示したように、接続される複数の板材１２の全体に延びる長さで、断面形状が方形である木製の１本ものの角材で構成され、線材１７の隣り合う二面が板材１２の切欠き部１６に密に接するように、線材１７の太さは、切欠き部１６を構成する直角をなす二面に対応する大きさの側面を有している。換言すれば、線材１７の太さは、壁パネル１１を落とし込む垂直材Ｘの落とし込み溝Ｘａに収まる大きさである（図１参照）。線材１７は１本の製材で構成するほか、繋いで１本にしても良い。
【００２０】
この線材１７は板材１２に対して耐水性の接着剤で固定する。つまり、図５に示したように板材１２と線材１７の間に接着剤層２２を有する。接着剤による固定に加えて、釘２３による固定も行うとよい。釘打ちは厚み方向の両側から行う。
【００２１】
以上のような構成の壁パネル１１は、壁パネル１１の上端の角部を示す図７、下端の角部を示す図８に示したように、上端面１１ｃと下端面１１ｄと両側の端面１１ｅは面一である。壁パネル１１を構成する複数の板材１２は、それぞれが実部１３と溝部１４の嵌め合わせで結合している上に、４本の線材１７によっても結合している。そして、板材１２と線材１７の接合状態を示す一部断面斜視図である図１に示したように、板材１２と線材１７との間や、板材１２自体の内部、板材１２同士の間に、入り組んだ接触面や繊維方向の相違が存在している。
【００２２】
つづいて、前述の壁パネル１１を用いた木造建築物３１と壁パネル１１の固定構造について説明する。
【００２３】
図９は木造建築物３１の一例を示す斜視図であり、この木造建築物３１は、たとえば店舗や事務所、ユニットハウスやバンガロ、東屋、物置、倉庫、ガレージ、休憩所、案内所、勉強部屋、仮設住宅、一般住宅などとして利用できるものである。この木造建築物３１ではパネル化や工業化、システム化が図られ、パネルをはじめとしてすべての部材は規格化されている。つまり、部材の品質、形状、寸法などが規格に合わせて統一されている。
【００２４】
図１０がその木造建築物３１の主な構成部材を示す分解斜視図であり、木造建築物３１は壁パネル１１と床パネル３２と垂直材Ｘと水平材Ｙと接合金物Ｚを有している。接合金物Ｚは垂直材Ｘと水平材Ｙを接合して躯体を構成するとともに、壁パネル１１を垂直材Ｘや水平材Ｙに保持させる機能も果たす。接合金物Ｚによる接合は着脱自在である。
【００２５】
図１１〜図１４に垂直材Ｘと水平材Ｙの接合構造を示す。図１１は、垂直材Ｘと水平材Ｙの接合のうち土台３３と通し柱３４と土台３５の接合構造を示し、図１２は、垂直材Ｘと水平材Ｙの接合のうち通し柱３４と軒桁３６と妻桁３７の接合構造を示し、図１３は、垂直材Ｘと水平材Ｙの接合のうち土台３３と大引３８、及び土台３３と間柱３９の接合構造を示し、図１４は、垂直材Ｘと水平材Ｙの接合のうち軒桁３６と間柱３９の接合構造を示している。
【００２６】
この例の木造建築物３１は平面視長方形であり、壁パネル１１には長手方向にのびる桁壁パネル１１ａと、桁壁パネル１１ａに直角に設けられる妻壁パネル１１ｂの２種類を有する。桁壁パネル１１ａと妻壁パネル１１ｂは、外壁と内壁を兼用できる程度の厚さ、例えば３０ｍｍ程度に設定される。これらの壁パネル１１を保持する垂直材Ｘと水平材Ｙには一般に柱材等として用いられるものと同等の角材が使用され、すべて同一太さ、例えば１０５ｍｍ角に設定されている。この例で垂直材Ｘと水平材Ｙは板倉構法で建築される木造建築物３１を構成するものであり、長手方向に沿ってのびる所定幅の落とし込み溝Ｘａ，Ｙａを側面に有する。落とし込み溝Ｘａ，Ｙａは壁パネル１１の縁部（左右両側の縁部と上下両側の縁部）が嵌る部分であり、接合した時に壁パネル１１の縁部に対向する側面に形成される。落とし込み溝Ｘａ，Ｙａの幅は壁パネル１１の厚さよりも若干広い。
【００２７】
図１１〜図１４に示したように、通し柱３４と土台３３および軒桁３６間と、間柱３９と土台３３および軒桁３６間は、接合金物Ｚで接合される。
【００２８】
通し柱３４と土台３３、通し柱３４と軒桁３６の端部同士を接合する接合金物４１は、接合される垂直材Ｘと水平材Ｙの端面Ｘｂ，Ｙｂ間に介在し、端面Ｘｂ，Ｙｂに当接する当接面４１ａと、これら当接面４１ａから突出して端面Ｘｂ，Ｙｂから垂直材Ｘまたは水平材Ｙ内に挿入される差し込み部４１ｂを有する。具体的には、接合金物４１は立方体形状に形成され、一つの角をとりまく３つの面を前述の当接面４１ａとしている。各当接面４１ａには、板状をなす前述の差し込み部４１ｂが１枚ずつ突設されている。差し込み部４１ｂは複数の穴部４１ｃを有する。これらの穴部４１ｃは、ドリフトピン９１を挿入するための部分であり、接合金物４１によって接合される通し柱３４と土台３３、軒桁３６の端部には、穴部４１ｃと対応する位置に貫通穴Ｘｃ，Ｙｃが形成されている。
【００２９】
通し柱３４と土台３３を接合する、図１１に示した接合金物４１では、内部にナット９２を入れて柱脚金物４２を固定できるようにしている。柱脚金物４２は、接合金物４１の下と土台３３の下を支える長さで平面視略Ｌ字形の支持板４２ａと、この支持板４２ａを支える支柱４２ｂを有し、支柱４２ｂの下にはアジャスタ４２ｃを備えている。支持板４２ａの中間点には支柱４２ｂから延びるボルト４２ｄが備えられ、支持板４２ａの両端部には土台３３に対する固定を行うボルト９３を必要に応じて通す穴部４２ｅが形成されている。
【００３０】
通し柱３４と軒桁３６を接合する、図１２に示した接合金物４１では、当接面４１ａ以外の面の少なくとも１つにねじ穴４１ｅを形成している。ねじ穴４１ｅは、接合金物４１を構成する板材に形成した穴部と、穴部の内側に保持したナットで構成される。
【００３１】
接合金物４１が前述のような構成であるので、接合金物４１に接する部分の壁パネル１１の四隅は、図１２に示したように切り欠き１１ｆを有する。
【００３２】
間柱３９の端部と土台３３および軒桁３６の中間部を接合する接合金物４３は、垂直材Ｘである間柱３９の端部に埋め込まれて間柱３９の端面Ｘｂと面一になる当接面４３ａと、この当接面４３ａに形成されたボルト挿入穴４３ｂを有する。具体的には図１３、図１４に示したように、接合金物４３は前述の当接面４３ａを有する基板４３ｃと、この基板４３ｃにおける当接面４３ａと反対側の面から立設される板状の差し込み部４３ｄを有する。基板４３ｃの中央には前述のボルト挿入穴４３ｂが形成されており、差し込み部４３ｄには前述の接合金物４１の差し込み部４１ｂと同様にドリフトピン９１を挿入する複数の穴部４３ｅが形成されている。
【００３３】
この接合金物４３は、当接面４３ａを予め土台３３や軒桁３６の側面に当接した状態で固定されるものであって、ボルト挿入穴４３ｂには差し込み部４３ｄ側からボルト９３を挿入する。挿入したボルト９３は土台３３や軒桁３６に保持した雌ねじ部材９４に螺合する。
【００３４】
雌ねじ部材９４は、円筒状に形成され、内部に雌ねじを有し、長手方向の中間位置に、中心を通って横切る貫通穴９４ａを備えている。この貫通穴９４ａは、接合金物４１，４３の穴部４１ｃ，４３ｅと同様にドリフトピン９１で固定したり、ボルト９５で固定したりするための部分である。
【００３５】
間柱３９と土台３３を接合する図１３に示した接合金物４３の固定部分には、土台３３を支える柱脚金物４４を備える。柱脚金物４４は、形状は異なるものの前述の通し柱３４の下の接合金物４１の下に固定する柱脚金物４２と同様の構成である。すなわち、柱脚金物４４は、平面視略円形で、土台３３の側面に対して接合する大引３８に向けて延びる延長部分を有した支持板４４ａと、この支持板４４ａを支える支柱４４ｂを有し、支柱４４ｂの下にはアジャスタ４４ｃを備えている。支持板４４ａの中央には支柱４４ｂからのびるボルト４４ｄが備えられ、支持板４４ａの周囲には、土台３３と大引３８に対して木ねじや釘等で固定するための穴部４４ｅが適宜形成されている。
【００３６】
柱脚金物４４の固定は、図１３に示したように、土台３３に内蔵した雌ねじ部材９４を利用して行われる。接合金物４３の固定位置とは別の位置に固定することもできる。
【００３７】
桁壁パネル１１ａと妻壁パネル１１ｂの外側面における四隅と、左右両側縁の上下方向中間部には、図９、図１０〜図１２に示したように補助板４５が固定されている。補助板４５は、壁パネル１１の表面に固定したときに垂直材Ｘや水平材Ｙの表面よりも内側に収まる厚さの板状であり、垂直材Ｘや水平材Ｙの側面に接する接触面４５ａを有する。つまり四隅の補助板４５は直角をなす２つの接触面４５ａを有し、上下方向の中間部の補助板４５は直線状の１つの接触面４５ａを有する。これらの接触面４５ａを有する辺以外の部分は、必要な面積を確保しつつデザイン性も考慮して適宜の形状に形成されている。
【００３８】
床パネル３２は合板で構成され、水平材Ｙとしての土台３５や大引３８の上に固定される。土台３５の上面（上側の側面）には、図１１に示したように落とし込み溝Ｙａが形成されている。この落とし込み溝Ｙａは、妻壁パネル１１ｂの下端の縁が嵌る部分である。落とし込み溝Ｙａを有するため、床パネル３２の長手方向の端は、例えば落とし込み溝Ｙａの内面と面一に固定される。床パネル３２の長手方向と直交する方向の端には、間柱３９に対応する部位を除いて、接合時に土台３３の上面にのる載置縁部３２ａが形成されている。土台３５と大引３８に対する床パネル３２の固定は、釘等（図示せず）で行える。
【００３９】
床パネル３２に固定される水平材Ｙのうちの大引３８は、その端部を土台３３の中間部に接合する接合金物４６を有している。この接合金物４６は、図１３に示したように、前述の間柱３９と土台３３を接合する接合金物４３と同様の構成である。
【００４０】
つまり接合金物４６は、水平材Ｙの端部に埋め込まれて水平材Ｙの端面Ｙｂと面一になる当接面４６ａと、この当接面４６ａに形成されたボルト挿入穴４６ｂを有する。当接面４６ａは接合を行う時に土台３３の側面に当接する部分である。具体的には、接合金物４６は前述の当接面４６ａを有する基板４６ｃと、この基板４６ｃにおける当接面４６ａと反対側の面から立設される板状の差し込み部４６ｄを有する。基板４６ｃの中央には前述のボルト挿入穴４６ｂが形成されており、差し込み部４６ｄにはドリフトピン９１を挿入する複数の穴部４６ｅが形成されている。また、当接面４６ａ側からボルト挿入穴４６ｂに挿入したボルト９５を保持するため、基板４６ｃの差し込み部４６ｄ側にはナット４３６ｆを保持している。ナット４６ｆは基板４６ｃと補助板４６ｇの間に保持される。
【００４１】
この接合金物４６は、当接面４６ａを予め大引３８の端部に埋設状態でドリフトピン９１によって固定される。接合金物４６による桁壁パネル１１ａと大引３８の固定のため、桁壁パネル１１ａの土台３３の外側面から挿入されるボルト９５を備える。図１３の例では、間柱３９を有する位置と同じ位置に大引３８を固定する例を示したため、ボルト９５は土台３３と共に雌ねじ部材９４の貫通穴９４ａを通すように描いたが、間柱３９を有しない位置に大引３８を固定する場合には、図示は省略するが、土台３３のみに通すことになる。
【００４２】
つぎに、以上のように垂直材Ｘと水平材Ｙを接合して得られる木造建築物３１の壁パネル１１を固定するための固定構造を説明する。
【００４３】
この固定構造は、壁パネル１１の両側部を垂直材Ｘに形成された落とし込み溝Ｘａに落とし込んで固定する壁パネル１１の固定構造であって、落とし込み溝Ｘａの幅が壁パネル１１の厚さよりも大きく形成され、落とし込み溝Ｘａの幅方向における壁内面側に、両側部が落とし込み溝Ｘａに落とし込まれた壁パネル１１を壁外面側に押しつける押しつけ手段が備えられる。前述のように壁パネル１１は一枚の板状であり、全周の縁部を垂直材Ｘと水平材Ｙの落とし込み溝Ｘａ，Ｙａに嵌め込んだ状態で固定される。このため壁パネル１１の固定は接合金物Ｚによる垂直材Ｘと水平材Ｙの接合と同期して行われる。
【００４４】
図１５、図１６に壁パネル１１の固定途中の斜視図を示す。図１５、図１６では接合金物Ｚや接合金物Ｚによる固定に必要な溝などの図示は省略している。
【００４５】
壁パネル１１の固定に際しては、まず接合金物Ｚを用いて土台３３に間柱３９や通し柱３４を立てる。この後、これら垂直材Ｘ間に壁パネル１１を落とし込んで嵌める。壁パネル１１の左右両側の縁部は垂直材Ｘの落とし込み溝Ｘａに嵌り、下端の縁部は水平材Ｙの落とし込み溝Ｙａに嵌る。
【００４６】
続いて、垂直材Ｘ間の上に、水平材Ｙを接合金物Ｚで固定して、壁パネル１１の上を閉じる。これによって、壁パネル１１の上端の縁部はその水平材Ｙの落とし込み溝Ｙａに嵌る。つぎに、図１７に仮想線で示したように、壁パネル１１を壁外面側に移動させてから、垂直材Ｘにおける落とし込み溝Ｘａの幅方向における壁内面側に、壁パネル１１を壁外面側に押しつける押しつけ手段を備える。
【００４７】
押しつけ手段は、図１６に示したように、垂直材Ｘの長さに対応する長尺の線状材である楔部材５１であり、楔部材５１の断面形状は図１７に示したように楔形である。つまり、壁パネル１１に接する当接面５１ａに対して傾斜して、後方ほど高くなる傾斜面５１ｂを有している。この傾斜面５１ｂより後方には、当接面５１ａと平行な平面５１ｃを有している。
【００４８】
楔部材５１の取り付けに先立って、垂直材Ｘの落とし込み溝Ｘａの幅方向における壁内面側の奥には、弾力性を有するバックアップ材５２が備えられる。バックアップ材５２は、ゴムや繊維などで構成された線状であり、変形性と弾力性を有するものである。バックアップ材５２は壁パネル１１を嵌めた落とし込み溝Ｘａにおける壁内面側にできる隙間よりも大きい断面形状を有している。好ましくは断面円形であるとよい。隙間に挿入するのに方向性がなく、作業性が良いからである。
【００４９】
すなわち、壁パネル１１の落とし込み溝Ｘａ内での固定は、前述のように壁パネル１１を壁外面側に移動させてから、バックアップ材５２を壁パネル１１と落とし込み溝Ｘａの内面との間の隙間に奥まで押し込んで、壁パネル１１を壁外面側に押すとともに、内奥部分での止水を可能にしてから、バックアップ材５２を隠すように、壁パネル１１と落とし込み溝Ｘａの内面との間の隙間に楔部材５１を打ち込む。これによって、壁パネル１１の両側部の全体は落とし込み溝Ｘａ内で壁外面側に強く押しつけられ、図１８に示したように、壁パネル１１の線材１７とその近傍が、落とし込み溝Ｘａの内面における壁外面側に密着する。
【００５０】
壁パネル１１と水平材Ｙとの間も、図１９、図２０に示したように垂直材Ｘとの間と同様にバックアップ材５２と楔部材５１を用いて固定するとよい。ただ、止水性はさほど要求される箇所ではないので、バックアップ材５２と楔部材５１を省略してもよい。また、図２１に示したように、バックアップ材５２のみを使用して、バックアップ材５２で壁パネル１１の位置を固定するとともに、床パネル３２を土台３３に後付けして、床パネル３２の端面で壁パネル１１を壁外面側に押し付けることもできる。
【００５１】
壁パネル１１を落とし込み溝Ｘａ，Ｙａ内で不動に固定する楔部材５１に対しては、図２２に示したように、戻り止めのためのビス５３を用いて固定するとよい。ビス５３は楔部材５１の平面５１ｃから壁パネル１１に螺合される。
【００５２】
以上のように構成された壁パネル１１と木造建築物３１では、次のような作用、効果を奏する。
【００５３】
壁パネル１１は、実部１３と溝部１４で結合される複数の板材１２が線材１７で一体化され、パネル化されており、壁パネル１１の強度が高い。しかも線材１７は、壁パネル１１の長さに等しく形成されているので、より高い強度が得られる。この線材１７は、壁パネル１１を構成する板材１２の中間耳部１５の厚さが実部１３の厚さよりも薄く設定されているので、太さを確保できる。この点からも壁パネル１１の強度を得られる。
【００５４】
壁パネル１１を構成する板材１２は、合板１８を芯として、これを板状製材１９で挟んで形成されているので、乾燥による曲りを防止できる。また合板１８と板状製材１９を接合している接着剤層２１と合板層１２ａが、板状製材１９を通して浸入する雨水などを遮断する。つまり、板状製材１９に図１に示したような死節１９ｂ（図１上側）がある場合でも、節が生節１９ｃではあっても割れ１９ｄを有する（図１下側）場合でも、接着剤層２１と、板状製材１９とは繊維方向が異なる合板層１２ａが、壁パネル１１内面への水の浸入を阻止する。
【００５５】
また、板材１２の実部１３の厚さと中間耳部１５の厚さが異なるとともに、中間耳部１５は線材１７で挟み付けられており、線材１７の表面と板状製材１９の表面が面一であるので、図１に示したように、切欠き部１６と線材１７との間や板材１２同士の間に入り組んだ接触面が得られる。そのうえ、板材１２の板状製材１９と合板１８では繊維方向が相違し、板状製材１９と線材１７でも繊維方向が相違する。このため、雨水等が板材１２や板材１２同士の間から侵入しても、水の流れを断つことができ、止水できることになる。
【００５６】
止水については、線材１７の太さを垂直材Ｘの落とし込み溝Ｘａに収まる大きさに設定しているので、線材１７が露出しない状態で線材１７とその近傍が楔部材５１によって強力に押さえつけられるので、より高い止水性能が得られる。
【００５７】
つまり壁パネルの板状製材に安価な二等材を使用して、コストの低減を図っても、水の浸入防止をはかることのできる性能の良い木造建築物３１を得ることができる。
【００５８】
しかも、バックアップ材５２と楔部材５１によって、壁パネル１１は落とし込み溝Ｘａ内の壁外面側に強く押しつけられ圧接しているので、落とし込み板特有の左右に流れる雨水でも止水できる。
【００５９】
壁パネル１１が垂直材Ｘと水平材Ｙによってパネル化されている上に、壁パネル１１の固定に楔部材を用いているため、戻り止めにビス５３を使用しても、ビスは着脱可能であるので、組みバラシは簡単である。
【００６０】
以上の構成はこの発明を実施するための一形態の構成であり、この発明は前述の構成に限定されるものではなく、その他の構成を採用することもできる。
【００６１】
たとえば、楔部材５１に代えて、バックアップ材のような構造の詰め物を押しつけ手段として使用することもできる。
【符号の説明】
【００６２】
１１…壁パネル
１２…板材
１２ａ…合板層
１３…実部
１４…溝部
１５…中間耳部
１６…切欠き部
１７…線材
１８…合板
１９…板状製材
２１，２２…接着剤層
３１…木造建築物
５１…楔部材
５２…バックアップ材
Ｘ…垂直材
Ｘａ…落とし込み溝
【図１】
2018071299.tif 000003
【図２】
2018071299.tif 000004
【図３】
2018071299.tif 000005
【図４】
2018071299.tif 000006
【図５】
2018071299.tif 000007
【図６】
2018071299.tif 000008
【図７】
2018071299.tif 000009
【図８】
2018071299.tif 000010
【図９】
2018071299.tif 000011
【図１０】
2018071299.tif 000012
【図１１】
2018071299.tif 000013
【図１２】
2018071299.tif 000014
【図１３】
2018071299.tif 000015
【図１４】
2018071299.tif 000016
【図１５】
2018071299.tif 000017
【図１６】
2018071299.tif 000018
【図１７】
2018071299.tif 000019
【図１８】
2018071299.tif 000020
【図１９】
2018071299.tif 000021
【図２０】
2018071299.tif 000022
【図２１】
2018071299.tif 000023
【図２２】
2018071299.tif 000024
【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
板材の実部と溝部を嵌め合わせて一方向に接続して形成される壁パネルであって、
前記板材が、厚み方向の内部に合板からなる合板層を有し、
前記板材における前記板材の接続方向と平行な両側部に、厚み方向の中間部分に中間耳部を残して厚み方向の両側を切り欠く切欠き部が形成され、
前記切欠き部に、前記実部と前記溝部の嵌め合わせで接続される複数の前記板材の全体に延びる長さの線材が固定された
壁パネル。
【請求項２】
前記板材が、２枚の板状製材の間に接着剤層を介して合板を挟んで一体化されている
請求項１に記載の壁パネル。
【請求項３】
前記中間耳部の厚さが前記実部の厚さと異なる
請求項１または請求項２に記載の壁パネル。
【請求項４】
前記中間耳部の厚さが前記実部の厚さよりも薄い
請求項１または請求項２に記載の壁パネル。
【請求項５】
前記線材が角材であり、前記線材の隣り合う二面が板材に密に接する
請求項１から請求項４のうちいずれか一項に記載の壁パネル。
【請求項６】
前記板材と前記線材の間に接着剤層を有する
請求項１から請求項５のうちいずれか一項に記載の壁パネル。
【請求項７】
前記線材の太さが、当該壁パネルを落とし込む垂直材の落とし込み溝に収まる大きさである
請求項１から請求項６のうちいずれか一項に記載の壁パネル。
【請求項８】
壁パネルの両側部を垂直材に形成された落とし込み溝に落とし込んで固定する壁パネルの固定構造であって、
前記壁パネルに請求項１から請求項６のうちいずれか一項に記載の壁パネルが用いられ、
前記落とし込み溝の幅が前記壁パネルの厚さよりも大きく形成され、
前記落とし込み溝の幅方向における壁内面側に、両側部が前記落とし込み溝に落とし込まれた前記壁パネルを壁外面側に押しつける押しつけ手段が備えられた
壁パネルの固定構造。
【請求項９】
前記押しつけ手段が、断面楔形の線状材である
請求項８に記載の壁パネルの固定構造。
【請求項１０】
前記落とし込み溝の幅方向における壁内面側の奥に、弾力性を有するバックアップ材を備える
請求項８または請求項９に記載の壁パネルの固定構造。
【請求項１１】
請求項１から請求項７のうちいずれか一項に記載の壁パネルを用いた
木造建築物。